(57)【要約】【課題】  本発明はスクリーンを均一に左右方向に所定の張力を付与できるようにして、四隅部寄りの部位のスクリーンに歪みが生じるのを効率よく阻止して、高精度のスクリーン印刷が可能なスクリーン版を製造することができるスクリーン紗張装置を得るにある。【解決手段】  スクリーンの前後左右を前後左右部のクランプ装置でクランプして、該クランプされたスクリーンに所定の張力を付与することができるスクリーン紗張装置において、前後部のクランプ装置でスクリーンをクランプする時に、該前後部のクランプ装置の近傍位置のスクリーンの両端部をクランプして、左右方向に所定の帳力を付与することができる前後部の補助クランプ装置とでスクリーン紗張装置を構成している。【選択図】  図１
2005288790.tif 000002
【特許請求の範囲】
【請求項１】
スクリーンの前後左右を前後左右部のクランプ装置でクランプして、該クランプされたスクリーンに所定の張力を付与することができるスクリーン紗張装置において、前記前後部のクランプ装置でスクリーンをクランプする時に、該前後部のクランプ装置の近傍位置のスクリーンの両端部をクランプして、左右方向に所定の帳力を付与することができる前後部の補助クランプ装置を設けたことを特徴とするスクリーン紗張装置。  
【請求項２】
スクリーンの前後左右を前後左右部のクランプ装置でクランプして、該クランプされたスクリーンに所定の張力を付与することができるスクリーン紗張装置において、前記左右部のクランプ装置でスクリーンをクランプする時に、該左右部のクランプ装置の近傍位置のスクリーンの両端部をクランプして、前後方向に所定の帳力を付与することができる左右部の補助クランプ装置を設けたことを特徴とするスクリーン紗張装置。
【発明の詳細な説明】
【技術分野】
【０００１】
本発明はスクリーン版を製造する場合に使用するスクリーン紗張装置に関する。
【背景技術】
【０００２】
従来のスクリーン紗張装置は、スクリーンの前後左右を前後左右部のクランプ装置でクランプして、該クランプされたスクリーンに所定の張力を付与するように構成されている。
【０００３】
このため、スクリーンの前後左右をクランプした状態で前後左右方向にスクリーンを引張るため、スクリーンの前後部分のクランプ部分には左右方向の引張力が作用しないとともに、左右部分のクランプ部分には前後方向の引張力が作用しないため、枠体に固定されるスクリーンの四隅部寄りの部位に歪みが生じるという欠点があった。
【特許文献１】実公平５−１７２４０
【発明の開示】
【発明が解決しようとする課題】
【０００４】
本発明は以上のような従来の欠点に鑑み、スクリーンを均一に左右方向に所定の張力を付与できるようにして、四隅部寄りの部位のスクリーンに歪みが生じるのを効率よく阻止して、高精度のスクリーン印刷が可能なスクリーン版を製造することができるスクリーン紗張装置を提供することを目的としている。                  
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はスクリーンの前後左右を前後左右部のクランプ装置でクランプして、該クランプされたスクリーンに所定の張力を付与することができるスクリーン紗張装置において、前記前後部のクランプ装置でスクリーンをクランプする時に、該前後部のクランプ装置の近傍位置のスクリーンの両端部をクランプして、左右方向に所定の帳力を付与することができる前後部の補助クランプ装置とでスクリーン紗張装置を構成している。
【発明の効果】
【０００７】
以上の説明から明らかなように、本発明にあっては次に列挙する効果が得られる。
【０００８】
（１）前後部のクランプ装置でスクリーンをクランプする時に、該前後部のクランプ装置の近傍位置のスクリーンの両端部をクランプして、左右方向に所定の張力を付与することができる前後部の補助クランプ装置を設けているので、前後部のクランプ装置でクランプするスクリーンの前後部は左右方向に所定の張力が付与された状態でクランプすることができる。
したがって、スクリーンに前後左右方向の引張力を加えても、四隅部寄りの部位に歪みが生じるのを効率よく防止することができる。
【０００９】
（２）前記（１）によって、スクリーンに所定の張力を付与した状態で前後左右部位をクランプすることができる。
したがって、スクリーンに均一な引張力を加えることができ、全体を均一な状態で枠体に固定することができる。
【００１０】
（３）前記（１）によって、前後部の補助クランプ装置を設けるだけでよいので、容易に製造することができるとともに、既存のスクリーン紗張装置にも本願発明を施すことができる。
【００１１】
（４）請求項２も前記（１）〜（３）と同様な効果が得られる。
【発明を実施するための最良の形態】
【００１２】
以下、図面に示す本発明を実施するための最良の形態より、本発明を詳細に説明する。
【００１３】
図１ないし図１７に示す本発明を実施するための最良の第１の形態において、１は本発明のスクリーン紗張装置で、このスクリーン紗張装置１は四角形状のベース体２と、このベース体２の前後部に前後方向にスライド移動するスクリーン３の前後部位をクランプすることができる前後部のクランプ装置４、５と、前記ベース体２の左右部に左右方向にスライド移動するスクリーン３の左右部位をクランプすることができる左右部のクランプ装置６、７と、前記前後部のクランプ装置４、５の近傍位置に、該前後部のクランプ装置４、５でクランプされるスクリーン３の両端部をクランプして、左右方向に所定の張力を付与することができる前後部の補助クランプ装置８、８、９、９と、前記ベース体２の後端部に取付けられたロール状のスクリーン３を支持するスクリーン支持台１０と、前記前後部のクランプ装置４、５および前記左右部のクランプ装置６、７で覆われた、前記ベース体２の上面に取付けられた枠体１１を支持する支持板１２とで構成されている。
【００１４】
前記前後部のクランプ装置４、５は前記ベース体２の前後部位の上面に、前後方向に作動杆１３、１３が作動する前後部の油圧シリンダー１４、１４と、この前後部の油圧シリンダー１４、１４の作動杆１３、１３の先端部に固定された前後方向の移動体１５、１５と、前記前後部の油圧シリンダー１４、１４の両端部に前記前後方向の移動体１５、１５が水平方向にスライド移動するようにガイドする、前記ベース体２に固定されたガイド筒１６、１６、１６、１６、このガイド筒１６、１６、１６、１６にガイドされる前記前後方向の移動体１５、１５に固定されたガイド軸１７、１７、１７、１７とからなるガイド部材１８、１８と、前記前後方向の移動体１５、１５に固定された上面に山形状の凹部１９、１９が形成された固定側スクリーン挟着片２０、２０と、前記前後方向の移動体１５、１５の両端部あるいは両端部寄りの部位に両端部が固定され、前記固定側スクリーン挟着片２０、２０上に位置する支持体２１、２１と、この支持体２１、２１にそれぞれ所定間隔で取付けられた作動杆２２が下方へ移動する複数個のスクリーン挟着片作動用油圧シリンダー２３、２３と、この複数個のスクリーン挟着片作動用油圧シリンダー２３、２３の作動杆２２、２２の先端部に固定された、前記固定側スクリーン挟着片２０、２０の山形状の凹部１９、１９と係合する山形状の突起２４、２４が形成された可動側スクリーン挟着片２５、２５とで構成されている。
【００１５】
前記左右部のクランプ装置６、７は、前記ベース体２の左右部位の上面に左右方向に作動杆２６、２６が作動する左右部の油圧シリンダー２７、２７と、この左右部の油圧シリンダー２７、２７の作動杆２６、２６の先端部に固定された両端部が、前記前後部のクランプ装置４、５の前後方向の移動体１５、１５の下部に位置できるように凹部２８、２８、２８、２８が形成された左右方向の移動体２９、２９と、前記左右部の油圧シリンダー２７、２７の両端部に前記左右方向の移動体２９、２９が水平方向にスライド移動するようにガイドする、前記ベース体２に固定されたガイド筒３０、３０、３０、３０、このガイド筒３０、３０、３０、３０にガイドされる前記左右方向の移動体２９、２９に固定されたガイド軸３１、３１、３１、３１とからなるガイド部材３２、３２と、前記左右方向の移動体２９、２９に固定された上面に山形状の凹部３３、３３が形成された固定側スクリーン挟着片３４、３４と、前記左右方向の移動体２９、２９の凹部２８、２８、２８、２８を除く両端部に固定された、前記固定側スクリーン挟着片３４、３４上に位置する支持体３５、３５と、この支持体３５、３５にそれぞれ所定間隔で取付けられた作動杆３６が下方へ移動する複数個のスクリーン挟着片作動用油圧シリンダー３７、３７と、この複数個のスクリーン挟着片作動用油圧シリンダー３７、３７の作動杆３６、３６の先端部に固定された、前記固定側スクリーン挟着片３４、３４の山形状の凹部３３、３３と係合する山形状の突起３８、３８が形成された可動側スクリーン挟着片３９、３９と、前記左右方向の移動体２９、２９の凹部２８、２８、２８、２８に大型のスクリーン版を形成する場合に取付けられる固定側スクリーン挟着片３４Ａと、可動側スクリーン挟着片３９Ａを備える追加クランプ装置４０、４０、４０、４０とで構成されている。
【００１６】
前記前後部の補助クランプ装置８、８、９、９は、前記前後部のクランプ装置４、５の支持体２１、２１の両端部寄りの部位に左右方向に作動杆４１、４１、４１、４１がスライド移動する補助クランプ用油圧シリンダー４２、４２、４２、４２と、この補助クランプ用油圧シリンダー４２、４２、４２、４２の作動杆４１、４１、４１、４１に取付けられたスクリーン３の前後部の両端部を挟着固定する下部片が固定側挟着片４３、４３、４３、４３となるコ字状の支持具４４、４４、４４、４４と、この支持具４４、４４、４４、４４の上部片４４ａ、４４ａ、４４ａ、４４ａに取付けられた、前記固定側挟着片４３、４３、４３、４３を押し圧する作動杆４５、４５、４５、４５の先端部に可動側挟着片４６、４６、４６、４６が取付けられた挟着用油圧シリンダー４７、４７、４７、４７とで構成されている。
【００１７】
上記構成のスクリーン紗張装置１は支持板１２上に枠体１１を支持させ、スクリーン支持台１０に支持されたスクリーン３を前部のクランプ装置４でクランプできる所まで引出し、前部のクランプ装置４の左右部位の前部の補助クランプ装置８、８で先端部寄りのスクリーン３の両端部を挟着して、補助クランプ用油圧シリンダー４２、４２を作動させて所定の張力を加えた所で、前部のクランプ装置４の複数個のスクリーン挟着片作動用油圧シリンダー２３を作動させて、可動側スクリーン挟着片２５を固定側スクリーン挟着片２０に押し圧して挟着固定する。
【００１８】
つぎに、後部のクランプ装置５の左右部位の後部の補助クランプ装置９、９で該部位に位置するスクリーン３の両端部を、前部と後部との間の該スクリーン３
に歪みが生じないように挟着して、補助クランプ用油圧シリンダー４２、４２を作動させて所定の張力を加えた所で、後部のクランプ装置５の複数個のスクリーン挟着片作動用油圧シリンダー２３を作動させて、可動側スクリーン挟着片２５を固定側スクリーン挟着片２０に押し圧して固定する。
【００１９】
次に、前後部のクランプ装置４、５を作動させて、スクリーン３の前後方向にあらかじめ設定された張力を付与させた状態で、左右部のクランプ装置６、７の複数個のスクリーン挟着片作動用油圧シリンダー３７、３７を作動させて可動側スクリーン挟着片３９、３９を固定側スクリーン挟着片３４、３４に押し圧して挟着固定する。
【００２０】
この状態から前後部のクランプ装置４、５の前後部の油圧シリンダー１４、１４を作動させるとともに、左右部のクランプ装置６、７の左右部の油圧シリンダー２７、２７を作動させて、スクリーン３の前後左右方向に所定の張力を作用させた状態に保ち、枠体１１にスクリーン３を挟着固定する。
【００２１】
このようにして枠体１１に固定されたスクリーン３は、スクリーン３の前後部のクランプ装置４、５でクランプされる部位が左右方向に所定の張力を付与した状態でクランプされているため、従来のように前後部のクランプ装置４、５および左右部のクランプ装置６、７で所定の張力が付与される場合に、隅部に生ずる歪みの発生を効率よく阻止して、ほぼ均一な状態で枠体１１にスクリーン３を固定することができる。
[発明を実施するための異なる形態]
【００２２】
次に、図１８ないし図２０に示す本発明を実施するための異なる形態につき説明する。なお、この本発明を実施するための異なる形態の説明に当って、前記本発明を実施するための最良の第１の形態と同一構成部分には同一符号を付して重複する説明を省略する。
【００２３】
図１８ないし図２０に示す本発明を実施するための第２の形態において、前記本発明を実施するための最良の第１の形態と主に異なる点は、左右部のクランプ装置６、７の近傍位置のスクリーン３の両端部をクランプして、前後方向に所定の張力を付与することができる、前記前後部の補助クランプ装置と同構成の左右部の補助クランプ装置８Ａ、９Ａを設けた点で、このように構成したスクリーン紗張装置１Ａにしても、前記本発明を実施するための最良の第１の形態と同様な作用効果が得られる。
【産業上の利用可能性】
【００２４】
本発明はスクリーン紗張装置を製造する産業で利用される。
【図面の簡単な説明】
【００２５】
【図１】本発明を実施するための最良の第１の形態の平面図。
【図２】本発明を実施するための最良の第１の形態の正面図。
【図３】本発明を実施するための最良の第１の形態の側面図。
【図４】図１の４−４線に線に沿う断面図。
【図５】前後部のクランプ装置の説明図用平面図。
【図６】前後部のクランプ装置の説明図用正面図。
【図７】図５の７−７線に沿う断面図。
【図８】左右部のクランプ装置の説明図用平面図。
【図９】左右部のクランプ装置の説明図用正面図。
【図１０】図８の１０−１０線に沿う断面図。
【図１１】前後部の補助クランプ装置の説明図。
【図１２】前部の補助クランプ装置の動作説明図。
【図１３】前部のクランプ装置の動作説明図。
【図１４】後部の補助クランプ装置の動作説明図。
【図１５】後部のクランプ装置の動作説明図。
【図１６】前後方向に張力を付与した動作説明図。
【図１７】左右部のクランプ装置の動作説明図。
【図１８】本発明を実施するための第２の形態の平面図。
【図１９】本発明を実施するための第２の形態の正面図。
【図２０】本発明を実施するための第２の形態の側面図。
【符号の説明】
【００２６】
１、１Ａ：スクリーン紗張装置、
２：ベース体、                ３：スクリーン、
４：前部のクランプ装置、      ５：後部のクランプ装置、
６：左部のクランプ装置、      ７：右部のクランプ装置、
８、８Ａ：前部の補助クランプ装置、
９、９Ａ：後部の補助クランプ装置、
１０：スクリーン支持台、      １１：枠体、
１２：支持板、                １３：作動杆、
１４：前後部の油圧シリンダー、１５：移動体、
１６：ガイド筒、              １７：ガイド軸、
１８：ガイド部材、            １９：凹部、
２０：固定側スクリーン挟着片、２１：支持体、
２２：作動杆、
２３：スクリーン挟着片作動用油圧シリンダー、
２４：突起、                  ２５：可動側スクリーン挟着片、
２６：作動杆、                ２７：左右部の油圧シリンダー、
２８：凹部、                  ２９：移動体、
３０：ガイド筒、              ３１：ガイド軸、
３２：ガイド部材、            ３３：凹部、
３４、３４Ａ：固定側スクリーン挟着片、
３５：支持体、                ３６：作動杆、
３７：スクリーン挟着片作動用油圧シリンダー、
３８：突起、
３９、３９Ａ：可動側スクリーン挟着片、
４０：追加クランプ装置、      ４１：作動杆、
４２：補助クランプ用油圧シリンダー、
４３：固定側挟着片、          ４４：支持具、
４５：作動杆、                ４６：可動側挟着片、
４７：挟着用油圧シリンダー。
【図１】
2005288790.tif 000003
【図２】
2005288790.tif 000004
【図３】
2005288790.tif 000005
【図４】
2005288790.tif 000006
【図５】
2005288790.tif 000007
【図６】
2005288790.tif 000008
【図７】
2005288790.tif 000009
【図８】
2005288790.tif 000010
【図９】
2005288790.tif 000011
【図１０】
2005288790.tif 000012
【図１１】
2005288790.tif 000013
【図１２】
2005288790.tif 000014
【図１３】
2005288790.tif 000015
【図１４】
2005288790.tif 000016
【図１５】
2005288790.tif 000017
【図１６】
2005288790.tif 000018
【図１７】
2005288790.tif 000019
【図１８】
2005288790.tif 000020
【図１９】
2005288790.tif 000021
【図２０】
2005288790.tif 000022